(57)【要約】【課題】芯線の端子への取り付け作業を簡易化して製造コストを安価にすることが可能な構成のコネクタを提供する。【解決手段】コネクタ１が、ハウジング１０と、このハウジング１０に保持され、一端側に相手側コネクタの端子と接触する接触部２２を有するとともに他端側に設けられたリード部２４に電線４０の芯線４２が圧着される圧着部２６を有した端子２２と、ハウジング１０に着脱自在に取り付けられ、芯線４２が圧着された状態の圧着部２６を保護するカバー部材３０とから構成される。【選択図】        図１
2004327209.tif 000002
【特許請求の範囲】
【請求項１】
ハウジングと、
前記ハウジングに保持され、一端側に相手側コネクタの端子と接触する接触部を有するとともに他端側に電線の芯線が圧着される圧着部を有した端子と、
前記ハウジングに着脱自在に取り付けられ、前記芯線が圧着された状態の前記圧着部を保護するカバー部材とを有したことを特徴とするコネクタ。
【発明の詳細な説明】
【０００１】
【発明の属する技術分野】
本発明は、ハウジングにより保持した端子に電線の芯線を取り付けて構成されるコネクタに関する。
【０００２】
【従来の技術】
コネクタは、雄雌コネクタのハウジング同士を互いに嵌合させた状態において、それぞれのハウジングに保持された端子の接触部同士を接触させることにより両コネクタ同士の間での信号や電力の伝送を可能にしている。
【０００３】
図５は従来のコネクタ（雄コネクタ）の一例である。このコネクタ１０１では、Ｌ字状に形成された２つの端子１２０，１２０が電気絶縁性材料からなるハウジング１１０により保持された構成となっている。各端子１２０の垂直方向に延びた部分は相手側コネクタ（ここでは雌コネクタ）の端子（図示せず）と接触する接触部１２２であり、水平方向に延びた部分は電線１４０の芯線１４２が取り付けられるリード部１２４である。リード部１２４は図示のように上面側が露出されており、電線１４０の芯線１４２はこのリード部１２４の露出面上にスポット溶接や蝋付けなどにより接続される（図中、蝋付けされる半田を符号１３０で示す。また、下記の特許文献参照）。
【０００４】
【特許文献１】
特開平１１−０４０２８４号公報
【０００５】
【発明が解決しようとする課題】
しかしながら、上記従来のコネクタでは、溶接や蝋付け作業には多くの時間がかかるうえ、電線の芯線が接続される端子表面は芯線が接続される前の保管時より外部に露出された状態にあることから、この端子表面にごみや埃等が付着しないよう普段より厳重な注意（管理）が必要となるとともに、芯線の接続作業に取りかかる前には端子表面を洗浄する（拭き取る）等の作業を要するため、多くの工程及び時間を必要として製造コストが高くなるという問題があった。
【０００６】
本発明はこのような問題に鑑みてなされたものであり、芯線の端子への取り付け作業を簡易化して製造コストを安価にすることが可能な構成のコネクタを提供することを目的としている。
【０００７】
【課題を解決するための手段】
このような目的を達成するため、本発明に係るコネクタは、ハウジングと、このハウジングに保持され、一端側に相手側コネクタの端子と接触する接触部を有するとともに他端側に電線の芯線が圧着される圧着部を有した端子と、ハウジングに着脱自在に取り付けられ、前記芯線が圧着された状態の前記圧着部を保護するカバー部材とを有する。
【０００８】
【発明の実施の形態】
以下、図面を参照して本発明の好ましい実施形態について説明する。図１〜図４は本発明の一実施形態に係るコネクタを示している。この図に示すコネクタ１は自動車の自動変速機に備えられる電磁ソレノイドに電力を供給する電力供給線の中継部に使用されるものであり、互いに嵌合して用いられる雄雌コネクタのうちの雄コネクタである。このコネクタ１は、ハウジング１０と、ハウジング１０に保持された二つの端子２０，２０と、ハウジング１０に着脱自在に取り付けられるカバー部材３０とを有し、二つの端子２０，２０に二本の電線（電力供給線）４０，４０が取り付けられた構成となっている。
【０００９】
各端子２０，２０はそれぞれＬ字状に形成されており、ハウジング１０はこれら端子２０，２０を図示しない金型に２つ並べた状態で電気絶縁性の樹脂を注入することにより（いわゆるインサートモールドにより）、２つの端子２０，２０と一体に成形される。このようにハウジング１０が電気絶縁性材料からなるため、隣り合う両端子２０，２０は互いに電気的に絶縁された状態が確保される。各端子２０のうち、垂直方向に延びた部分が雌コネクタ（図示せず）側の端子と接触する接触部２２であり、水平方向に延びた部分がこのコネクタ１に接続される電線４０が取り付けられるリード部２４である。
【００１０】
各リード部２４，２４それぞれの端部には電線４０の端部において剥き出しにされた芯線４２が圧着される圧着部２６が設けられている。この圧着部２６は芯線４２の外径よりも大きい内径を有した円筒状に形成されており、芯線４２が挿入された状態で上下方向から押圧力を加える（プレスする）ことにより、圧着部２６の内周面を芯線４２に外方から密着させるようにして両者２６，４２を結合することが可能である。また、カバー部材３０はハウジング１０と同様に電気絶縁性の樹脂がモールド成形されてなり、上記二本の電線４０，４０を貫通させ、かつこれら電線４０，４０を互いに平行な姿勢に保持する二つの電線貫通孔３２，３２を有している。
【００１１】
両端子２０，２０それぞれに電線４０を取り付けるには、先ずハウジング１０とカバー部材３０とが分離した状態において（図１に示す状態）、各電線４０をカバー部材３０の電線貫通孔３２に挿入取り付けした後、芯線４２を端子２０の圧着部２６に挿入する。この状態で圧着部２６を図１の上下方向からプレスすれば、上記のように芯線４２が圧着部２６内に圧着される（図１に示す左側の圧着部２６参照）。二本の電線４０がそれぞれ対応する端子２０に取り付けられたら、カバー部材３０を移動させてハウジング１０に取り付ける。
【００１２】
このカバー部材３０の取り付けは、カバー部材３０の両端部に水平方向に延びて設けられたスライド部３４，３４をハウジング１０の両端部に水平方向に延びて設けられた溝１２，１２内に挿入させた状態でカバー部材３０をハウジング１０に向かって押し付けることにより行う。これによりカバー部材３０は、中央部下面側に水平に延びて設けられた溝３６内に、ハウジング１０の中央から水平に突出して延びて設けられた突起部１４を受容するようにしてハウジング１０に結合される（図２参照）。なお、このようにハウジング１０と結合されたカバー部材３０は、上記結合方向とは反対の方向に引き抜くことにより、ハウジング１０より分離させることができる。すなわちカバー部材３０はハウジング１０に対して着脱自在な構成となっている。
【００１３】
また、このようにハウジング１０にカバー部材３０を取り付けた状態では、図１及び図３に示すように、ハウジング１０の下面から下方に突出して設けられた突起半体１６と、カバー部材３０の下面から下方に突出して設けられた突起半体３８とが一体となり、これら両突起半体１６，３８が一体となって構成される突起Ｔ（この突起Ｔはハウジング１０の幅方向に２つある）が、このコネクタ１の取り付けられる所定の部材（ここでは、例えば図示しない電磁ソレノイド機器）に設けられたコネクタ取り付け孔（図示せず）に取り付けられる。
【００１４】
このように本発明に係るコネクタでは、カバー部材３０はハウジング１０に対して着脱自在であるので、電線４０の芯線４２を端子２０に取り付ける直前まで圧着部２６をカバー部材３０により覆っておくことができ、圧着部２６（すなわち端子２０における芯線４２の取り付け部）へのごみや埃等の付着を効果的に防止することができるうえ、芯線４２は圧着により端子２０に取り付けられるので、溶接や蝋付け等により芯線を端子に取り付けていた従来と比べて芯線４２の端子２０への取り付け作業が簡易化され、製造コストを安価にすることができる。また、芯線４２の端子２０への取り付け後も、この取り付け部（圧着部２６）はカバー部材３０により保護されるので、電線４０に無理な曲げなどが作用した場合でも芯線４２と端子２０との接合部に負荷がかかることが防止される。
【００１５】
これまで本発明の好ましい実施形態について説明してきたが、本発明の範囲は前述の実施形態に示されたものに限定されない。例えば、上述の実施形態では、本発明の適用対象が雄雌コネクタのうちの雄コネクタであったが、本発明は雌コネクタにも同様に適用することが可能である。また、上述の実施形態では、本発明が適用されたコネクタが自動車の自動変速機に備えられる電磁ソレノイドに電力を供給する電力供給線の中継部に使用されるものであったが、これは一例であり、本発明に係るコネクタはあらゆる用途に用いられる信号線や電力供給線等の電線の中継部に使用することが可能である。
【００１６】
【発明の効果】
以上説明したように、本発明に係るコネクタでは、カバー部材はハウジングに対して着脱自在であるので、電線の芯線を端子に取り付ける直前まで圧着部をカバー部材により覆っておくことができ、圧着部（すなわち端子における芯線の取り付け部）へのごみや埃等の付着を効果的に防止することができるうえ、芯線は圧着により端子に取り付けられるので、溶接や蝋付け等により芯線を端子に取り付けていた従来と比べて芯線の端子への取り付け作業が簡易化され、製造コストを安価にすることができる。また、芯線の端子への取り付け後も、この取り付け部（圧着部）はカバー部材により保護されるので、電線に無理な曲げなどが作用した場合でも芯線と端子との接合部に負荷がかかることが防止される。
【図面の簡単な説明】
【図１】本発明の一実施形態に係るコネクタの分解斜視図である。
【図２】上記コネクタの斜視図である。
【図３】図２に示す矢視ＩＩＩから見た上記コネクタの正面図である。
【図４】図３中に示す矢視ＩＶ−ＩＶから見た上記コネクタの断面図である。
【図５】従来のコネクタの一例の斜視図である。
【符号の説明】
１      コネクタ
１０    ハウジング
２０    端子
２２    接触部
２４    リード部
２６    圧着部
３０    カバー部材
３２    電線貫通孔
４０    電線
４２    芯線
【図１】
2004327209.tif 000003
【図２】
2004327209.tif 000004
【図３】
2004327209.tif 000005
【図４】
2004327209.tif 000006
【図５】
2004327209.tif 000007